(57)【要約】【課題】胎毛、毛髪、遺髪等の封入品を外部から目視し得るとともに、長年に亘って略全体に透明性や半透明性を持たせて清涼感や美観を有する透明体内に胎毛等の毛髪を封入した記念品を提供する。【解決手段】  前記透明体２は、クリスタルガラス等の透明又は半透明の成形体あるいは水晶等の透明又は半透明の自然石の成形体により形成するとともに、前記胎毛等の毛髪５を前記透明体２の中心線に沿った所要部位に封入して胎毛等の毛髪５の封入部３を形成し、前記胎毛等の毛髪３を外部より透視することができるように構成する。【選択図】図２
0003136655.tif 000002
【実用新案登録請求の範囲】
【請求項１】
透明体内に胎毛等の毛髪を封入した記念品において、
前記透明体は、クリスタルガラス等の透明又は半透明の成形体あるいは水晶等の透明又は半透明の自然石の成形体にて形成するとともに、前記胎毛等の毛髪を前記透明体の中心線に沿った所要部位に封入して胎毛等の毛髪の封入部を形成し、前記胎毛等の毛髪を外部より透視することができるように構成したことを特徴とする透明体内に胎毛体の毛髪を封入した記念品。
【請求項２】
透明体内に胎毛等の毛髪を封入した記念品において、
前記透明体は、クリスタルガラス等の透明又は半透明の成形体あるいは水晶等の透明又は半透明の自然石の成形体にて形成するとともに、前記胎毛等の毛髪を前記透明体の中心線に沿った所要部位に封入して胎毛等の毛髪の封入部を形成し、
さらに、前記胎毛等の毛髪の封入部は、
前記透明体の中心線に沿って開孔した貫通孔とこの貫通孔の一方の開口部に嵌着した底用封止部材と、他方の開口部から注入した第１の封入樹脂部と、
この第１の封入樹脂部に封入セットした胎毛等の毛髪のセット部と、
前記第１の封入樹脂部と胎毛等の毛髪のセット部の上側の前記貫通孔の残余の部分に注入した第２の封入樹脂部により形成して構成したことを特徴とする透明体内に胎毛等の毛髪を封入した記念品。
【請求項３】
前記封入部には、ネックレス等の吊下げ部材との連結金具を固着することにより構成したことを特徴とする請求項１または２記載の透明体内に胎毛等の毛髪を封入した記念品。
【考案の詳細な説明】
【技術分野】
【０００１】
本考案は、透明体内に胎毛等の毛髪を封入した記念品に関する。
【背景技術】
【０００２】
一般に、赤ちゃんの誕生や身近な人の成長あるいは故人や可愛がっていたペットが亡くなったときには、胎毛、毛髪あるいは遺髪（ペットの毛）を保存し身近に置くことで、赤ちゃんの誕生の喜びやその後の成長を感じ取り、あるいは故人やペットの冥福を祈ったりその思いを偲ぶことが行われている。特に、前記胎毛、毛髪、遺髪等をペンダント等の身飾品に収容して身に着けることで、如何なる時間や場所においても、身に着けているペンダント等を見ることで、その者の存在を身近に感じることができ、あるいは故人や亡くなったペットについて在りし日の姿を思い浮かべることが可能となる。
【０００３】
従来、ダイヤモンド等の自然石を原型とした無色透明のダイヤモンドで装飾部を形成し、この装飾部に形成した有底の円孔部に、故人や愛玩動物の遺骨や毛等を収容する装身具が開示されており、この装身具は鎖部に取り付ける吊着部を取り付け、ネックレスとして首から下げることができる旨、記載されている。円孔部の内側には金属膜部が形成されており、この円孔部内に遺骨等を収容し、円孔部に注入する硬化型のシリコーン樹脂により遺骨等を内包し、シリコーン樹脂を硬化している（特許文献１）。
【０００４】
さらに、この特許文献１には、第四実施形態として、内側に金属膜部を形成した円孔部に遺骨等を内包した円柱状の樹脂栓を円孔部に嵌合し、円孔部の開口部に形成した雌ネジ部に雄ネジを形成したプラチナの閉塞栓を螺合して、遺骨等を装飾部に収容する装身具が記載されている。
【特許文献１】特開２００５−６７０５号公報
【考案の開示】
【考案が解決しようとする課題】
【０００５】
しかし、特許文献１の装身具にあっては、収容した遺骨等を装飾部の外部から目視することができず、収容物を直接に目視して故人や愛玩動物を思い浮かべることができない問題点を有していた。すなわち、遺骨等を収容する円孔部の内側には金属膜部が形成されており目視はできなかった。さらに、円孔部の開口部には硬化したシリコーン樹脂が露出しており、使用により傷が付いたり破壊し、長期間の使用に支障を来す問題点を有していた。
【０００６】
また、第四実施形態にあっては、遺骨等を内包した樹脂栓を円孔部に嵌合するためには、円孔部の内径に対応させて樹脂栓の外径を精度良くする対応させて形成しなければならなかった。すなわち、樹脂栓が大きすぎると円孔部に差し込むことができず、また樹脂栓が円孔部内で動く問題があった。さらに、円孔部の開口部に閉塞栓を螺合して樹脂栓を円孔部内に収容してあるので、螺合が弛緩して閉塞栓が外れる場合が生じる恐れがあり、閉塞栓が外れると知らぬ間に樹脂栓が落下すると、掛け替えのない遺骨等を無くす恐れがあった。
【０００７】
よって、本考案は、上記問題点に鑑みなされたもので、胎毛、毛髪、遺髪等の封入品を外部から目視し得るとともに、長年に亘って略全体に澄み切った透明性や半透明性を持たせて清涼感や美観を有する透明体内に胎毛等の毛髪を封入した記念品とその製造方法を提供することを目的とする。
【課題を解決するための手段】
【０００８】
前記目的を達成するために、請求項１の考案は、透明体内に胎毛等の毛髪を封入した記念品において、前記透明体は、クリスタルガラス等の透明又は半透明の成形体あるいは水晶等の透明又は半透明の自然石の成形体にてより形成するとともに、前記胎毛等の毛髪を前記透明体の中心線に沿った所要部位に封入して胎毛等の毛髪の封入部を形成し、前記胎毛等の毛髪を外部より透視することができるように構成したことを特徴とする。
【０００９】
また、請求項２の考案は、透明体内に胎毛等の毛髪を封入した記念品において、前記透明体は、クリスタルガラス等の透明又は半透明の成形体あるいは水晶等の透明又は半透明の自然石の成形体にて形成するとともに、前記胎毛等の毛髪を前記透明体の中心線に沿った所要部位に封入して胎毛等の毛髪の封入部を形成し、さらに、前記胎毛等の毛髪の封入部は、前記透明体の中心線に沿って開孔した貫通孔とこの貫通孔の一方の開口部に嵌着した底用封止部材と、他方の開口部から注入した第１の封入樹脂部と、この第１の封入樹脂部に封入セットした胎毛等の毛髪のセット部と、前記第１の封入樹脂部と胎毛等の毛髪のセット部の上側の前記貫通孔の残余の部分に注入した第２の封入樹脂部により形成して構成したことを特徴とする。
【００１０】
さらに、請求項３の考案は、請求項１または２の透明体内に胎毛等の毛髪を封入した記念品において、前記封入部には、ネックレス等の吊下げ部材との連結金具を固着することにより構成したことを特徴とする。
【考案の効果】
【００１１】
本考案によれば、透明体の中心線に沿って貫通させて毛髪の封入部を設けてあるので、封入部内で硬化する透明な封入用合成樹脂部に内包される毛髪は透明体の中央部に位置し、見栄えが良く美観の優れた記念品となる。また、封入用合成樹脂部は、硬化すると透明体と一体化して、外観上は封入部の壁面と硬化封入用合成樹脂部の存在を感知させないとともに、封入用合成樹脂部に脱法処理を施しつつ硬化するので、透明体中に気泡等の濁りは生ぜず、毛髪を澄み切った透明体中に浮かんだ状態で配置することができ、清涼感を有する記念品が得られる。これにより、七五三・入学式・成人式等のお祝いとして、恋人・ご夫婦・ご家族・ご友人等の大切な人への贈り物として最適である。また、故人との思い出として最適である。また、ネックレス等の身飾品として用いることができ、いつでも身に着けていることができる。
【考案を実施するための最良の形態】
【００１２】
以下、本考案の実施例を図面とともに説明する。
【実施例１】
【００１３】
図１〜１４は本考案の実施例１を示してある。図１〜４は実施例１の透明体内に胎毛、毛髪、遺髪を封入した記念品（以下、記念品という）を示し、図１は正面図、図２は図１のＡ−Ａ線断面図、図３（ａ）は底用封止部材を示す正面図、図３（ｂ）は底用封止部材を示す平面図、図４は連結金具を示す斜視図である。さらに、図５〜１４図は前記記念品の製造方法を示す工程図である。
【００１４】
図１，２に示すように、本考案の記念品１は、透明体２と、この透明体２の内部に形成した封入部３に第１および２封入用合成樹脂部４ａ，４ｂを用いて封入した毛髪セット部５と、前記封入部３を構成する貫通孔９の一方の開口部９ａに設けた底用封止部材６およびネックレス等の吊り下げ部材との連結金具７よりなっている。
【００１５】
前記透明体２は、卵形の形状に整形した水晶体の成形体よりなっている。この成形体は、長さ約２０ｍｍ、最大径約１３ｍｍおよび上部径約６ｍｍに形成されている。透明体２の成形体は、卵形に限られず、球形や楕円形や瓢箪形等の立体形に成形しても良く、その材料は水晶体に限られず、クリスタルガラス等の半透明又は透明の成形体あるいは透明又は半透明の自然石を整形加工してなる成形体を用いることができ、透明性・耐久性・耐火性・耐熱性を有するサファイヤやダイヤモンドも好適である。
【００１６】
封入部３は、透明体２の中央内部に卵形の大球面と小球面を結ぶ中心線ｚに沿って設けた内径約３ｍｍ有する円柱形の貫通孔９により形成されており、この貫通孔９の内部には、その下部近傍に５０本程度の毛髪５を立設させるようにして貫通孔９内に充填させた封入用合成樹脂部４ａ，４ｂ内に内装セットされている。
【００１７】
毛髪セット部５は、数本毎に纏めた毛髪束５ａを、放射状に整形しつつ封入用合成樹脂部４ａに立設セットされるとともに、封入用合成樹脂部４ａ上に注入された封入用合成樹脂部４ｂに封入されており、封入用合成樹脂部４ｂを注入後に前記中心線ｚに沿って放射状に整形セットされ封入されている。当該封入部３には、毛髪５に限られず、胎毛、遺髪、ペットの体毛等を封入しても良い。
【００１８】
前記封入用合成樹脂部４ａ，４ｂには、エポキシ系樹脂が用いられている。エポキシ系樹脂は、透明性に優れており、硬化すると透明体２と一体となって樹脂の存在や貫通孔９の存在を感知させなくなり、外観上は透明体２内に毛髪５のみが存在する状態となる。そこで、図１においては、封入用合成樹脂部４ａ，４ｂおよび貫通孔９の表示は省略した。なお、封入用合成樹脂部４ａ，４ｂは、エポキシ樹脂に換えてアクリル系樹脂を用いることができ、エポキシ系樹脂と同様な作用効果を奏することができる。
【００１９】
前記底用封止部材６は、図３に示すように、高さと底面径とを略同じ大きさ（約２．５ｍｍ）にするとともに底面側側面を若干立ち上げた八角錐状に形成されており、材質にはジルコニアが用いられている。この底用封止部材６は、その底面を透明体２の前記大球面に倣わせるとともにその尖頭を前記貫通孔９に突入せて封入部３の開口部に配置されており、封入部３に注入した封入用合成樹脂部４ａが硬化することで、透明体２に固着されている。この底用封止部材６は、封入部３に注入した封入用合成樹脂部４ａの漏れを防ぐ作用を担うとともに、底用封止部材６の底面側側面と貫通孔９の内周面との間に封入用合成樹脂部４ａが浸入することで、透明体２との接着がより強固になる。さらに、底用封止部材６は、その尖頭を封入部３に突入状態とすることで、透明体２を底側から見た際に、鉢角錐の８面がより光輝いた状態で観察可能となる。
【００２０】
透明体２の上部には、ネックレス等の吊下げ部材との連結金具７が接着剤により固着されており、前記貫通孔９の開口部を塞ぐようになっている。連結金具３は、その材質にシルバー、ゴールド、プラチナ等の貴金属が用いられており、図４に示すように、ネックレス等の吊下げ部材１１を挿通するための孔部１０を形成した挿通部７ａと、透明体２の前記小球面を覆う底部７ｂと、その底部７ｂの中央に突設した取付部７ｃとが一体に形成されている。
【００２１】
挿通部７ａは、底部７ｂより細く形成され、その上部は円形の孔部１０に倣って半円形に形成されるとともに、その両側面は前記半円形の下部を平行に底部７ｂ側に延在させて形成され、底部７ｂの上部と滑らかにつなげられている。底部７ｂは、その底面が透明体２の表面に密着させて僅かに覆えるように湾曲させて形成されている（図２参照）。底部７ｂの底面中央には、透明体２の貫通孔９の内径より若干小径に形成した円柱状の取付部７ｃが形成されており、取付部７ｃを貫通孔９内に挿入させて底部７ｂの底面を透明体２の表面に密着させ、底部７ｂの底面および取付部７ｃの側面と透明体２の間に介在させた接着用樹脂１２により透明体２の上部に固着されている。取付部７ｃは、底部７ｂの深さに比して約２倍程度長く形成されている。
【００２２】
前記接着用樹脂１２は、透明な紫外線硬化型接着剤が用いられている。本実施例では、日本ロックタイト（株）社製のＬＩＧＴＨ  ＣＵＲＥ  ＡＤＨＥＳＩＶＥＳ：製品名ＬＯＣＴＩＴＥ  ３６３を用いた。本接着剤によると、透明度が高く良好な接着性が得られた。
【００２３】
次に、上記記念品の製造方法を図５〜１４の工程図を用いて説明する。本製造方法は、透明体の整形加工工程（図５）と、透明体への封入部用の貫通孔を形成する孔明け加工工程（図６）と、貫通孔の底部となる一方の開口部を封止する封止加工工程（図７）と、貫通孔内に樹脂を少量注入し毛髪を内装セットする第１封入加工工程（図８）と、貫通孔内に樹脂を充填する第２封入加工工程（図９）と、樹脂を硬化する冷却硬化加工工程（図１０）と、この工程後常温に戻して封入部を加工する封入部
○工工程と、貫通孔の他方の開口部にバチカン（吊下金具）を接着嵌合セットするバチカンセット加工工程（図１１および図１２）と、透明体の除湿乾燥加工工程（図１３）と、バチカンを前記開口部に固着するバチカン固着加工工程（図１４）とから成っている。
【００２４】
まず、図５に示す透明体の整形加工工程においては、クリスタルガラス等の半透明又は透明の成形体あるいは水晶等の透明又は半透明の自然石の成形体を研削研磨し、その外形を所望の形状に整形加工して透明体２を成形する。本実施例では、水晶からなる球体の成形体を卵形に整形した。
【００２５】
次に、図６に示す孔明け加工工程においては、整形加工後の透明体２の中心線ｚ（図２参照）に沿ってダイヤモンド砥石（ダイヤモンドドリル）により円柱形の貫通孔９を開孔する。この貫通孔９を形成する際には、貫通孔９の壁面に加工上の多数の細孔状の凹部１３が発生し、壁面における透明性が阻害される（白濁した外観を呈する）。
【００２６】
その後、図７に示す封止加工工程においては、前記孔明け加工した透明体２の貫通孔９底部となる一方の開口部９ａに底用封止部材６を装着する。底用封止部材６は、図３に示す通り八角円錐状に形成されており、その底面を透明体２の表面に倣わせるとともに、尖頭部を封入部３内に挿入させて装着する。この底用封止部材６は、次工程の第１封入加工工程において注入する第１の封入用合成樹脂部４ａが封入部３から流れ出すのを防ぐ。なお、封入用合成樹脂部４ａは、底用封止部材６の底部と貫通孔９の壁面との間から漏れ出すが、この漏出した封入用合成樹脂部４ａは、硬化後に透明体２の曲面に沿うように加工して除去する。
【００２７】
次に、図８に示す第１封入加工工程においては、透明体２を立設設置して封入部３内に第１の封入用合成樹脂部４ａを流し込む。流し込む樹脂の量は、後述の毛髪５のセット位置（高さ）に対応させて、例えば貫通孔９の長さ方向で４分の１を充填する量とする。その後、洗浄した５０本程度の毛髪５を数本毎に纏めた毛髪束５ａを前記封入用合成樹脂部４ａに押し込みセットする。押し込むセットする毛髪５に替えて、胎毛、遺髪、ペットの毛であってもよい。前記毛髪５の形、位置を整形し、前記中心線ｚに沿って放射状に整える。
【００２８】
次に、図９に示す第２封入加工工程においては、前記第１の封入用合成樹脂部４ａの上方に存在する貫通孔９の残余部分に第２の封入用合成樹脂部４ｂを前記貫通孔９の他方の開口部９ｂより脱泡処理を施しつつ注入し、前記毛髪５を封入用合成樹脂部４ａ，４ｂ内に埋設する。脱泡処理には、注射針や細いピンにより封入用合成樹脂部４ｂを攪拌して空気を抜く方法や、封入用合成樹脂部４ｂに振動を与えて空気を抜く方法や、ガンシン（真空状態）にして空気を抜く方法があり、本実施例では前記方法の如何は問わず、封入用合成樹脂部４ｂ内の気泡を除去して透明体２全体の美観を維持している。さらに、封入用合成樹脂部４ａ，４ｂは、貫通孔明け加工に際して生じた多数の細孔状の凹部１３内に入り込み、全ての凹部１３の痕跡を除去し、透明体２の透明性が確保される。
【００２９】
前記封入用合成樹脂部４ａ，４ｂは、その材質にアクリル系樹脂やエポキシ系樹脂が用いられ、硬化後に透明となって透明体２においてその存在が外見上観察されず、毛髪５が透明体２内において浮かんだ状態で観察されるようになる。さらに、硬化したアクリル系樹脂やエポキシ系樹脂は耐候性に富み、経時変化による変色（黄色）がほとんど生ぜず、高い透明性を持続し長期間に亘って美観を維持することが出来る。
【００３０】
図１０に示す冷却硬化加工工程においては、透明体２を少なくとも０℃以下の冷却雰囲気内にセットし、２〜３日を掛けて封入用合成樹脂部４ａ，４ｂを硬化する。この工程において、封入用合成樹脂部４ａ、４ｂや透明体２を冷却雰囲気中の硬化は、透明体２と封入用合成樹脂部４ａ，４ｂとの熱膨張率が異なるのを考慮したもので、硬化した封入用合成樹脂部４ａ，４ｂと透明体２とが分離して抜け落ちするのを防ぐためである。そして、封止用合成樹脂部４ａ，４ｂが完全に硬化していることを確認し、冷却雰囲気から取り出す。なお、本工程においては、封入用合成樹脂部４ａ，４ｂとして、光硬化型樹脂、自然硬化型樹脂、常温硬化型樹脂を用いることが可能で、樹脂の性質に応じて、光硬化、自然硬化、常温硬化させることができる。
【００３１】
次に、図１１および図１２示すバチカンセット加工工程においては、前記冷却硬化加工工程により冷却している封入用合成樹脂部４ａ，４ｂや透明体２を常温に放置して常温に戻し、封入用合成樹脂部４ａ，４ｂの常温乾燥を行うことにより、毛髪５の封入部３を成形し、封入部加工工程が完了する。そして、当該封入部３の貫通孔９の他方の開口部９ｂにバチカン７（吊下金具、連結金具７）の取付部７ｃと貫通孔９の開口部９ａ壁面およびバチカン７の底面７ｂと透明体２の間に前記接着用樹脂１２を介在させつつバチカン７を挿入して固着する。
【００３２】
その後、図１３に示す除湿乾燥加工工程においては、バチカン７と透明体２の接着に用いた接着用樹脂１２を除湿雰囲気内で除湿乾燥を行い、完全な乾燥状態を整える。接着用樹脂１２の中に水分が入ってると接着力が損なわれてバチカン７と透明体２との間で分離が生じたり、接着用樹脂１２中に気泡が出来易くなるので、これらの不具合を防止するためである。なお、除湿剤を用いて除湿すると、透明な接着用樹脂１２が黄ばんでしまうという不具合が生じる。
【００３３】
図１４に示すバチカン固着加工工程においては、バチカン７と透明体２を固着する接着用樹脂１２に透明体２の外部から紫外線を照射して接着用樹脂１２を硬化し、バチカン７と透明体２とを強固に接着する。
【００３４】
以上により、本考案の透明体内に胎毛、毛髪、遺髪を封入した記念品が完成する。この記念品は、ゴールド製、シルバー製やプラチナ製の吊下げ部材１１をバチカン７の挿通部７ａに挿通して取り付けネックレス等の身飾品として使用可能である。
【図面の簡単な説明】
【００３５】
【図１】本考案の実施例１の記念品を示す正面図である。
【図２】図１のＡ−Ａ線断面図である。
【図３】底用封止部材を示し、図３（ａ）は正面図、図３（ｂ）は平面図である。
【図４】連結金具を示す斜視図である。
【図５】本考案の記念品における透明体の整形加工工程を示す断面図である。
【図６】本考案の記念品における透明体への貫通孔を形成する孔明け加工工程を示す断面図である。
【図７】本考案の記念品における封止部の底部となる一方の開口部を封止する封止加工工程を示す断面図である。
【図８】本考案の記念品における貫通孔内に樹脂を少量注入し毛髪を内装セットする第１封入加工工程を示す断面図である。
【図９】本考案の記念品における貫通孔内に樹脂を充填する第２封入加工工程を示す断面図である。
【図１０】本考案の記念品における樹脂を硬化する冷却硬化加工工程を示す断面図である。
【図１１】本考案の記念品における封入部を形成する貫通孔の他方の開口部にバチカン（吊下金具）を接着嵌合セットするバチカンセット加工工程を示す断面図である。
【図１２】本考案の記念品における封入部を形成する貫通孔の他方の開口部にバチカン（吊下金具）を接着嵌合セットするバチカンセット加工工程を示す断面図である。
【図１３】本考案の記念品における透明体の除湿乾燥加工工程を示す断面図である。
【図１４】本考案の記念品におけるバチカンを前記封入部に固着するバチカン固着加工工程を示す断面図である。
【符号の説明】
【００３６】
１    記念品
２    透明体
３    封入部
４ａ，ｂ  封入用合成樹脂部
５    毛髪セット部
６    底用封止部材
７    連結金具（バチカン）
７ａ  挿通部
７ｂ  底部
７ｃ  取付部
９    貫通孔
１１  吊下げ部材
１２  接着用樹脂
１３  細孔状の凹部
【図１】
0003136655.tif 000003
【図２】
0003136655.tif 000004
【図３】
0003136655.tif 000005
【図４】
0003136655.tif 000006
【図５】
0003136655.tif 000007
【図６】
0003136655.tif 000008
【図７】
0003136655.tif 000009
【図８】
0003136655.tif 000010
【図９】
0003136655.tif 000011
【図１０】
0003136655.tif 000012
【図１１】
0003136655.tif 000013
【図１２】
0003136655.tif 000014
【図１３】
0003136655.tif 000015
【図１４】
0003136655.tif 000016